(57)【要約】【課題】股下域を着用者の股間部に密着させることができるとともに、着用者の鼠径部と腰部とを締め付けることができる開放型の使い捨て着用物品を提供する。【解決手段】前後胴周り域２，４と股下域３との全域が弾性的に伸縮可能な開放型の使い捨て着用物品１Ａが、股下域３の幅方向中央部３ａから二股に分かれて前後胴周り域２，４の両側部７ａ，７ｂに達する第１および第２伸縮域８，９と、第１および第２伸縮域８，９を除いた残余の第３伸縮域１０ａ，１０ｂとを有し、第１および第２伸縮域８，９の伸長応力が、第３伸縮域１０ａ，１０ｂのそれよりも大きく、ループ部材１２が、後胴周り域４の両側部７ｂに位置する第２伸縮域９に取り付けられ、フック部材１１が、前胴周り域２の両側部７ａに位置する第１伸縮域８に取り付けられている。【選択図】　　　図１
2004024434.tif 000002
【特許請求の範囲】
【請求項１】
前胴周り域および後胴周り域と、それら胴周り域の間に位置する股下域とを備え、前記前後胴周り域と前記股下域との全域が弾性的に伸縮可能であり、着用時に前記前後胴周り域の両側部どうしを連結する開放型の使い捨て着用物品において、
前記着用物品が、前記股下域の幅方向中央部から二股に分かれて前記前胴周り域の両側部に達する第１伸縮域と、前記股下域の幅方向中央部から二股に分かれて前記後胴周り域の両側部に達する第２伸縮域と、前記第１および第２伸縮域を除いた残余の第３伸縮域とを有し、前記第１および第２伸縮域の伸長応力が、前記第３伸縮域のそれよりも大きく、
前記前後胴周り域を連結するための第１止着部が、前記後胴周り域の両側部に位置する前記第２伸縮域に形成され、前記第１止着部を着脱可能に止着する第１被止着部が、前記前胴周り域の両側部に位置する前記第１伸縮域に形成されていることを特徴とする前記着用物品。
【請求項２】
前記第１伸縮域と前記第２伸縮域とが、前記股下域の幅方向中央部でひとつながりになっている請求項１記載の着用物品。
【請求項３】
前記第１止着部が、前記後胴周り域の両側部の内面に取り付けられた第１ループ部材であり、前記第１被止着部が、前記前胴周り域の両側部の外面に取り付けられた第１フック部材である請求項１または請求項２に記載の着用物品。
【請求項４】
前記前後胴周り域を連結するための第２止着部が、前記後胴周り域の両側部に位置する前記第３伸縮域に形成され、前記第２止着部を着脱可能に止着する第２被止着部が、前記前胴周り域の両側部に位置する前記第３伸縮域に形成されている請求項１ないし請求項３いずれかに記載の着用物品。
【請求項５】
前記第２止着部が、前記後胴周り域の両側部の内面に取り付けられた第２フック部材であり、前記第２被止着部が、前記前胴周り域の両側部の外面に取り付けられた第２ループ部材である請求項４記載の着用物品。
【請求項６】
前記前胴周り域の両側部に位置する前記第１伸縮域と前記後胴周り域の両側部に位置する前記第２伸縮域とが、前記第１止着部を前記第１被止着部に止着した前記着用物品の着用時に実質的に連結される請求項１ないし請求項５いずれかに記載の着用物品。
【請求項７】
前記着用物品が、弾性的な伸縮性を有する繊維不織布から形成され、前記第１および第２弾性伸縮域における前記不織布の坪量が、前記第３弾性伸縮域における前記不織布のそれよりも大きい請求項１ないし請求項６いずれかに記載の着用物品。
【請求項８】
前記第１および第２伸縮域の幅１５ｍｍかつ１５％伸長時における伸長応力が０．２５〜３０Ｎの範囲、前記第１および第２伸縮域の幅１５ｍｍかつ４０％伸長時における伸長応力が０．６〜５０Ｎの範囲にあり、前記第３伸縮域の幅１５ｍｍかつ１５％伸長時における伸長応力が０．１７〜２０Ｎの範囲、前記第３伸縮域の幅１５ｍｍかつ４０％伸長時における伸長応力が０．４〜３３Ｎの範囲にある請求項１ないし請求項７いずれかに記載の着用物品。
【請求項９】
前記着用物品が、その肌当接側に吸収性パッドを取り付けて使用するおむつカバーである請求項１ないし請求項８いずれかに記載の着用物品。
【発明の詳細な説明】
【０００１】
【発明の属する技術分野】
本発明は、開放型の使い捨て着用物品に関する。
【０００２】
【従来の技術】
特開２００１−８９６８公報は、肌当接側に位置して横方向へ弾性伸縮性を有する第１内面シートと、肌非当接側に位置して横方向へ弾性伸縮性を有する第１外面シートと、それら第１内外面シートの間に介在する吸収体とから形成され、前胴周り域および後胴周り域と、それら胴周り域の間に位置する股下域とを備え、横方向と縦方向とへ弾性伸縮性を有する第２内外面シートが股下域の両側部に取り付けられた開放型の使い捨ておむつを開示している。
【０００３】
このおむつは、前後胴周り域と股下域とが弾性伸縮性を有する第１内外面シートから形成されているので、前後胴周り域と股下域とにギャザーが生じることはなく、おむつを着用させることが容易であるという効果を有する。このおむつを着用するには、後胴周り域の両側部に取り付けられたテープファスナを前胴周り域の両側部の外面に止着し、前後胴周り域を連結する。
【０００４】
【発明が解決しようとする課題】
前記公報に開示のおむつでは、その着用時に、横方向へ弾性伸縮性を有する第１内外面シートの収縮力を利用して着用者の胴部をその周り方向から締め付けることができる。
【０００５】
しかし、このおむつでは、縦方向へ実質的に非伸縮の第１内外面シートがおむつの股下域を縦方向上方へ引き上げるように作用せず、股下域を着用者の股間部に密着させることができない。また、このおむつでは、その着用時に、第２内外面シートの縦方向端部どうしが連結されることはなく、第２内外面シートが着用者の脚部をその周り方向から締め付けるように作用しないので、第２内外面シートの収縮力を利用して着用者の脚部を締め付けることができない。
【０００６】
本発明の課題は、股下域を着用者の股間部に密着させることができるとともに、着用者の鼠径部と腰部とを締め付けることができる開放型の使い捨て着用物品を提供することにある。
【０００７】
【課題を解決するための手段】
前記課題を解決するための本発明の前提は、前胴周り域および後胴周り域と、それら胴周り域の間に位置する股下域とを備え、前記前後胴周り域と前記股下域との全域が弾性的に伸縮可能であり、着用時に前記前後胴周り域の両側部どうしを連結する開放型の使い捨て着用物品である。
【０００８】
前記前提における本発明の特徴は、前記着用物品が、前記股下域の幅方向中央部から二股に分かれて前記前胴周り域の両側部に達する第１伸縮域と、前記股下域の幅方向中央部から二股に分かれて前記後胴周り域の両側部に達する第２伸縮域と、前記第１および第２伸縮域を除いた残余の第３伸縮域とを有し、前記第１および第２伸縮域の伸長応力が、前記第３伸縮域のそれよりも大きく、前記前後胴周り域を連結するための第１止着部が、前記後胴周り域の両側部に位置する前記第２伸縮域に形成され、前記第１止着部を着脱可能に止着する第１被止着部が、前記前胴周り域の両側部に位置する前記第１伸縮域に形成されていることにある。
【０００９】
本発明は、以下の実施態様を有する。
（１）前記第１伸縮域と前記第２伸縮域とが前記股下域の幅方向中央部でひとつながりになっている。
（２）前記第１止着部が前記後胴周り域の両側部の内面に取り付けられた第１ループ部材であり、前記第１被止着部が前記前胴周り域の両側部の外面に取り付けられた第１フック部材である。
（３）前記前後胴周り域を連結するための第２止着部が前記後胴周り域の両側部に位置する前記第３伸縮域に形成され、前記第２止着部を着脱可能に止着する第２被止着部が前記前胴周り域の両側部に位置する前記第３伸縮域に形成されている。
（４）前記第２止着部が前記後胴周り域の両側部の内面に取り付けられた第２フック部材であり、前記第２被止着部が前記前胴周り域の両側部の外面に取り付けられた第２ループ部材である。
（５）前記前胴周り域の両側部に位置する前記第１伸縮域と前記後胴周り域の両側部に位置する前記第２伸縮域とが、前記第１止着部を前記第１被止着部に止着した前記着用物品の着用時に実質的に連結される。
（６）前記着用物品が弾性的な伸縮性を有する繊維不織布から形成され、前記第１および第２弾性伸縮域における前記不織布の坪量が前記第３弾性伸縮域における前記不織布のそれよりも大きい。
（７）前記第１および第２伸縮域の幅１５ｍｍかつ１５％伸長時における伸長応力が０．２５〜３０Ｎの範囲、前記第１および第２伸縮域の幅１５ｍｍかつ４０％伸長時における伸長応力が０．６〜５０Ｎの範囲にあり、前記第３伸縮域の幅１５ｍｍかつ１５％伸長時における伸長応力が０．１７〜２０Ｎの範囲、前記第３伸縮域の幅１５ｍｍかつ４０％伸長時における伸長応力が０．４〜３３Ｎの範囲にある。
（８）前記着用物品がその肌当接側に吸収性パッドを取り付けて使用するおむつカバーである。
【００１０】
【発明の実施の形態】
添付の図面を参照し、本発明にかかる開放型の使い捨て着用物品の詳細を説明すると、以下のとおりである。
【００１１】
図１，２は、一例として示す使い捨て着用物品１Ａの部分破断平面図と、図１のＡ−Ａ線矢視断面図とであり、図３，４は、図１のＢ−Ｂ線矢視断面図と、図１のＣ−Ｃ線矢視断面図とである。図１では、横方向を矢印Ｘで示し、縦方向を矢印Ｙで示す。なお、繊維不織布ｍ１，ｍ２や表裏面シート１３，１４の内面とは、着用者の肌に対向する面をいい、それらの外面とは、着用者の肌に非対向の面をいう。
【００１２】
物品１Ａは、縦方向に前胴周り域２および後胴周り域４と、それら胴周り域２，３の間に位置する股下域４とを備え、横方向へ延びる前後端部５，６と、縦方向へ延びる両側部７とを有する。股下域３では、両側部７が物品１Ａの横方向内方へ向かって弧を画いている。物品１Ａは、その平面形状が実質的に砂時計型を呈する。物品１Ａの肌当接側には、排泄物を吸収、保持する吸収性パッドＰが着脱可能に取り付けられている。
【００１３】
物品１Ａは、互いに重なり合う伸縮性の繊維不織布ｍ１と伸縮性の繊維不織布ｍ２とから形成されている。それら不織布ｍ１，ｍ２は、横方向と縦方向とへ弾性的な伸縮性を有する。物品１Ａは、前後胴周り域２，４と股下域３との全域が横方向と縦方向とへ弾性的に伸縮可能である。物品１Ａでは、不織布ｍ１が肌当接側に位置し、不織布ｍ２が肌非当接側に位置している。物品１Ａでは、それの伸縮性が阻害されることがないように、それら不織布ｍ１，ｍ２の内外面どうしが間欠的に固着されている。具体的には、それら不織布ｍ１，ｍ２どうしがドット状やスパイラル状、ジグザグ状、縞状のうちのいずれかの態様で固着されている。物品１Ａは、第１伸縮域８および第２伸縮域９と、第１および第２伸縮域８，９を除いた残余の第３伸縮域１０ａ，１０ｂとを有する。
【００１４】
第１伸縮域８は、股下域３の幅方向中央部３ａで二股に分かれ、幅方向中央部３ａから前胴周り域２の両側部７ａへ向かって延び、前端部５近傍に位置する両側部７ａに達している。第２伸縮域９は、股下域３の幅方向中央部３ａで二股に分かれ、幅方向中央部３ａから後胴周り域４の両側部７ｂへ向かって延び、後端部６近傍に位置する両側部７ｂに達している。股下域３の幅方向中央部３ａでは、第１伸縮域８と第２伸縮域９とがひとつながりになって縦方向へ延びている。第１および第２伸縮域８，９は、股下域３を中心として略Ｘ字を画いている。
【００１５】
第３伸縮域１０ａは、第１および第２伸縮域８，９の縦方向外方に位置して物品１Ａの前後端部５，６を形成している。第３伸縮域１０ｂは、第１および第２伸縮域８，９の横方向外方に位置して物品１Ａの両側部７を形成している。
【００１６】
第１および第２伸縮域８，９では、不織布ｍ１，ｍ２どうしの間に伸縮性の繊維不織布ｍ３が介在している。不織布ｍ３は、横方向と縦方向とへ弾性的な伸縮性を有し、不織布ｍ１，ｍ２の内外面に間欠的に固着されている。不織布ｍ１，ｍ２と不織布ｍ３との固着時には、それら不織布ｍ１，ｍ２，ｍ３が実質的に非伸長状態にある。第１および第２伸縮域８，９は、互いに重なり合う３枚の繊維不織布ｍ１，ｍ２，ｍ３から形成されている。第３伸縮域１０ａ，１０ｂは、互いに重なり合う２枚の繊維不織布ｍ１，ｍ２から形成されている。ゆえに、第１および第２伸縮域８，９では、不織布の坪量が第３伸縮域１０ａ，１０ｂのそれよりも大きく、それら伸縮域８，９の伸長応力が第３伸縮域１０ａ，１０ｂのそれよりも大きい。
【００１７】
前胴周り域２の両側部７ａには、第１フック部材１１（第１被止着部）が取り付けられている。フック部材１１は、第１伸縮域８に位置し、不織布ｍ２の外面に固着されている。後胴周り域４の両側部７ｂには、第１ループ部材１２（第１止着部）が取り付けられている。ループ部材１２は、第２伸縮域９に位置し、不織布ｍ１の内面に固着されている。
【００１８】
パッドＰは、肌当接側に位置する透液性表面シート１３と、肌非当接側に位置する不透液性裏面シート１４と、表裏面シート１３，１４の間に介在してそれらシート１３，１４の内外面に固着された吸液性コア１５とから形成されている。パッドＰは、裏面シート１４の外面に塗布された粘着剤１６を介して物品１Ａの股下域３における不織布ｍ１の内面に止着されている。表裏面シート１３，１４は、コア１５の周縁から周方向外方へ延びる縁部が互いに重なり合った状態で固着されている。
【００１９】
図５，６は、着用状態で示す物品１Ａの斜視図である。図６では、着用者が仰向けに寝ている状態にある。
【００２０】
物品１Ａを着用するには、後胴周り域４の両側部７ｂを前胴周り域２の両側部７ａに向かって移動させ、両側部７ｂを両側部７ａの外側に重ね合わせた後、ループ部材１２をフック部材１１に係合させて前後胴周り域２，４を連結する。前後胴周り域２，４が連結された物品１Ａには、胴周り開口１７と一対の脚周り開口１８とが形成される。
【００２１】
物品１Ａでは、ループ部材１２をフック部材１１に係合させると、前胴周り域２の両側部７ａに位置する第１伸縮域８と後胴周り域４の両側部７ｂに位置する第２伸縮域９とが実質的に連結され、それら伸縮域８，９が環状を形成する。物品１Ａは、その着用時に、第１および第２伸縮域８，９が着用者の鼠径部から腰部へ向かって環状を形成するので、それら伸縮域８，９の収縮力を利用して着用者の鼠径部と腰部とをその周り方向（矢印Ｙ１方向）から締め付けることができる。
【００２２】
物品１Ａでは、第１および第２伸縮域８，９が縦方向上下（矢印Ｙ２方向）に伸縮可能であり、それら伸縮域８，９の縦方向の収縮力が物品１Ａの股下域３を縦方向上方へ引き上げるように作用する。ゆえに、物品１Ａは、その股下域３を着用者の股間部に密着させることができるとともに、それに取り付けられたパッドＰを着用者の股間部に密着させることができる。
【００２３】
物品１Ａは、その両側部７が第１および第２伸縮域８，９よりも低い伸長応力の第３伸縮域１０ｂから形成され、第３伸縮域１０ｂが着用者の脚部をその周り方向（矢印Ｙ３方向）から包囲する。ゆえに、物品１Ａは、その着用中に、第１および第２伸縮域８，９が着用者の脚部の動きを拘束することはなく、脚部の動作に支障を来すことはない。物品１Ａでは、第３伸縮域１０ａから形成された前後端部５，６が着用者の胴部をその周り方向（矢印Ｘ１方向）から締め付けるので、物品１Ａが着用者の胴部から不用意にずれ下がってしまうことはない。
【００２４】
物品１Ａは、それを着用するときに、ループ部材１２をフック部材１１に係合させなければならず、それら部材１１，１２が係合することで、必然的に第１伸縮域８と第２伸縮域９とが連結される。物品１Ａは、その着用時に、後胴周り域４の両側部７ｂに取り付けられたループ部材１２をフック部材１１以外に係合させることはできず、ループ部材１２が前胴周り域２の不織布ｍ１に止着されてしまうことがないので、前後胴周り域２，４の両側部７ａ，７ｂどうしの連結位置を間違えてしまうことはない。
【００２５】
物品１Ａは、前後胴周り域２，４の両側部７ａ，７ｂに対するフック部材１１とループ部材１２との取り付け位置を変えることで、前後胴周り域２，４の両側部７ａ，７ｂどうしの連結位置を自由に決めることができる。ただし、フック部材１１は、第１伸縮域８に取り付けられている必要があり、ループ部材１２は、第２伸縮域９に取り付けられている必要がある。
【００２６】
物品１Ａでは、第１および第２伸縮域８，９の幅１５ｍｍかつ１５％伸長時における伸長応力が０．２５〜３０Ｎの範囲、第１および第２伸縮域８，９の幅１５ｍｍかつ４０％伸長時における伸長応力が０．６〜５０Ｎの範囲にあり、第３伸縮域１０ａ，１０ｂの幅１５ｍｍかつ１５％伸長時における伸長応力が０．１７〜２０Ｎの範囲、第３伸縮域１０ａ，１０ｂの幅１５ｍｍかつ４０％伸長時における伸長応力が０．４〜３３Ｎの範囲にある。
【００２７】
第１および第２伸縮域８，９の１５％伸長時における伸長応力が０．２５Ｎ未満かつ４０％伸長時における伸長応力が０．６Ｎ未満では、第１および第２伸縮域８，９の収縮力が弱く、それら伸縮域８，９の収縮力を利用して物品１Ａの股下域３を着用者の股間部に密着させることができない。また、着用者の鼠径部と腰部とに対する第１および第２伸縮域８，９の締め付けが不十分になる。第１および第２伸縮域８，９の１５％伸長時における伸長応力が３０Ｎを超過かつ４０％伸長時における伸長応力が５０Ｎを超過すると、第１および第２伸縮域８，９の縦方向の収縮力が物品１Ａを着用者の胴部からずり下げるように作用し、物品１Ａがその着用中に着用位置から不用意にずれ下がってしまう場合がある。また、第１および第２伸縮域８，９が着用者の鼠径部と腰部とを締め付け過ぎてしまい、物品１Ａの着用時に違和感がある。
【００２８】
第３伸縮域１０ａ，１０ｂの１５％伸長時における伸長応力が０．１７Ｎ未満かつ４０％伸長時における伸長応力が０．４Ｎ未満では、第３伸縮域１０ａの横方向の収縮力が第１および第２伸縮域８，９の縦方向の収縮力に比して極端に弱くなり、物品１Ａがその着用中に着用位置から容易にずれ下がってしまう。第３伸縮域１０ａ，１０ｂの１５％伸長時における伸長応力が２０Ｎを超過かつ４０％伸長時における伸長応力が３３Ｎを超過すると、第１および第２伸縮域８，９の伸長応力にもよるが、第１および第２伸縮域８，９の縦方向の収縮力が第３伸縮域１０ａの横方向の収縮力によって抑制され、物品１Ａの股下域３を着用者の股間部に密着させるというそれら伸縮域８，９の機能が減殺されてしまう場合がある。
【００２９】
物品１Ａでは、前胴周り域２の両側部７ａにおける第１伸縮域８にループ部材１２（第１被止着部）が取り付けられていてもよく、後胴周り域４の両側部７ｂにおける第２伸縮域９にフック部材１１（第１止着部）が取り付けられていてもよい。また、後胴周り域４の両側部７ｂにおける第２伸縮域９に粘着剤（第１止着部）が塗布されていてもよく、前胴周り域２の両側部７ａにおける第１伸縮域８に粘着剤を着脱可能なフィルム（第１被止着部）が取り付けられていてもよい。
【００３０】
図７，８は、他の一例として示す使い捨て着用物品１Ｂの部分破断平面図と、図７のＤ−Ｄ線矢視断面図とであり、図９，１０は、図７のＥ−Ｅ線端面図と、図７のＦ−Ｆ線端面図とである。図７では、横方向を矢印Ｘで示し、縦方向を矢印Ｙで示す。
【００３１】
物品１Ｂは、前胴周り域２および後胴周り域３と、それら胴周り域２，４の間に位置する股下域３とを備え、横方向へ延びる前後端部５，６と、縦方向へ延びる両側部７とを有する。股下域３では、両側部７が物品１Ｂの横方向内方へ向かって弧を画いている。物品１Ｂの肌当接側には、透液性表面シート１３と不透液性裏面シート１４との間に吸液性コア１５が介在する吸収性パッドＰが着脱可能に取り付けられている。
【００３２】
物品１Ｂは、互いに重なり合う伸縮性の繊維不織布ｍ１と伸縮性の繊維不織布ｍ２とから形成されている。それら不織布ｍ１，ｍ２は、横方向と縦方向とへ弾性的な伸縮性を有する。物品１Ｂは、前後胴周り域２，４と股下域３との全域が横方向と縦方向とへ弾性的に伸縮可能である。物品１Ｂでは、それら不織布ｍ１，ｍ２どうしの内外面が間欠的に固着されている。物品１Ｂは、第１および第２伸縮域８，９と、第１および第２伸縮域８，９を除いた残余の第３伸縮域１０ａ，１０ｂとを有する。
【００３３】
第１伸縮域８は、股下域３の幅方向中央部３ａで二股に分かれ、幅方向中央部３ａから前胴周り域２の両側部７ａへ向かって延び、股下域３近接に位置する両側部７ａに達している。第２伸縮域９は、股下域３の幅方向中央部３ａで二股に分かれ、幅方向中央部３ａから後胴周り域４の両側部７ｂへ向かって延び、股下域３近傍に位置する両側部７ｂに達している。股下域３の幅方向中央部３ａでは、第１伸縮域８と第２伸縮域９とがひとつながりになって縦方向へ延びている。第１および第２伸縮域８，９は、股下域３を中心として略Ｘ字を画いている。
【００３４】
第３伸縮域１０ａは、第１および第２伸縮域８，９の縦方向外方に位置して物品１Ｂの前後端部５，６を形成している。第３伸縮域１０ｂは、第１および第２伸縮域８，９の横方向外方に位置して物品１ｂの両側部７を形成している。
【００３５】
第１および第２伸縮域８，９では、不織布ｍ１，ｍ２どうしの間に伸縮性の繊維不織布ｍ３が介在している。不織布ｍ３は、横方向と縦方向とへ弾性的な伸縮性を有し、不織布ｍ１，ｍ２の内外面に非伸長下かつ間欠的に固着されている。第１および第２伸縮域８，９は、互いに重なり合う３枚の繊維不織布ｍ１，ｍ２，ｍ３から形成されている。第３伸縮域１０ａ，１０ｂは、互いに重なり合う２枚の繊維不織布ｍ１，ｍ２から形成されている。ゆえに、第１および第２伸縮域８，９では、不織布の坪量が第３伸縮域のそれよりも大きく、それら伸縮域８，９の伸長応力が第３伸縮域１０ａ，１０ｂのそれよりも大きい。
【００３６】
前胴周り域２の両側部７ａには、第１フック部材１１（第１被止着部）と第２ループ部材１９（第２被止着部）とが取り付けられている。フック部材１１は、第１伸縮域８に位置し、不織布ｍ２の外面に固着されている。ループ部材１９は、第１伸縮域８から前端部５の側に偏倚した第３伸縮域１０ａに位置し、不織布ｍ２の外面に固着されている。
【００３７】
後胴周り域４の両側部７ｂには、第１ループ部材１２（第１止着部）と第２フック部材２０（第２止着部）とが取り付けられている。ループ部材１２は、第２伸縮域９に位置し、不織布ｍ１の内面に固着されている。フック部材２０は、第２伸縮域９から後端部６の側に偏倚した第３伸縮域１０ａに位置し、不織布ｍ１の内面に固着されている。
【００３８】
図１１は、着用状態で示す物品１Ｂの斜視図である。物品１Ｂを着用するには、後胴周り域４の両側部７ｂを前胴周り域２の両側部７ａの側に向かって移動させ、両側部７ｂを両側部７ａの外側に重ね合わせた後、ループ部材１２をフック部材１１に係合させて前後胴周り域２，４を連結する。
【００３９】
物品１Ｂでは、ループ部材１２をフック部材１１に係合させると、前胴周り域２の両側部７ａに位置する第１伸縮域８と後胴周り域４の両側部７ｂに位置する第２伸縮域９とが実質的に連結され、それら伸縮域８，９が環状を形成する。物品１Ｂは、その着用時に、第１および第２伸縮域８，９が着用者の鼠径部から腰部へ向かって環状を形成するので、それら伸縮域８，９の収縮力を利用して着用者の鼠径部と腰部とをその周り方向（矢印Ｙ１方向）から締め付けることができる。
【００４０】
物品１Ｂでは、第１および第２伸縮域８，９が縦方向上下（矢印Ｙ２方向）に伸縮可能であり、それら伸縮域８，９の縦方向の収縮力が物品１Ｂの股下域３を縦方向上方へ引き上げるように作用する。物品１Ｂは、その股下域３を着用者の股間部に密着させることができるとともに、それに取り付けられたパッドＰを着用者の股間部に密着させることができる。
【００４１】
物品１Ｂは、その両側部７が第１および第２伸縮域８，９よりも低い伸長応力の第３伸縮域１０ｂから形成され、第３伸縮域１０ｂが着用者の脚部をその周り方向（矢印Ｙ３方向）から包囲する。ゆえに、物品１Ｂは、その着用中に、第１および第２伸縮域８，９が着用者の脚部の動きを拘束することはなく、脚部の動作に支障を来すことはない。
【００４２】
物品１Ｂは、それを着用するときに、第１ループ部材１２を第１フック部材１１に係合させなければならず、それら部材１１，１２が係合することで、必然的に第１伸縮域８と第２伸縮域９とが連結される。物品１Ｂは、その着用時に、後胴周り域４の両側部７ｂに取り付けられた第１ループ部材１２を第１フック部材１１以外に係合させることはできず、さらに、第１ループ部材１２が前胴周り域２の不織布ｍ１に止着されてしまうことがないので、前後胴周り域２，４の両側部７ａ，７ｂどうしの連結位置を間違えてしまうことはない。物品１Ｂは、前後胴周り域２，４の両側部７ａ，７ｂに対するフック部材１１とループ部材１２との取り付け位置を変えることで、前後胴周り域２，４の両側部７ａ，７ｂどうしの連結位置を自由に決めることができる。
【００４３】
物品１Ｂでは、第１ループ部材１２を第１フック部材１１に係合させると、第２フック部材２０が第２ループ部材１９の外側に重なるので、第２フック部材２０を第２ループ部材１９に確実に係合させることができる。物品１Ｂは、第２フック部材２０を第２ループ部材２９に係合させることで、前後端部５，６に位置する第３伸縮域１０ａを実質的に連結することができ、第３伸縮域１０ａから形成された前後端部５，６が着用者の胴部をその周り方向（矢印Ｘ１方向）から締め付けるので、物品１Ｂが着用者の胴部から不用意にずれ下がってしまうことはない。
【００４４】
第１および第２伸縮域８，９の幅１５ｍｍかつ１５％伸長時における伸長応力と第１および第２伸縮域８，９の幅１５ｍｍかつ４０％伸長時における伸長応力とは、図１のそれらと同一である。第３伸縮域１０ａ，１０ｂの幅１５ｍｍかつ１５％伸長時における伸長応力と第３伸縮域１０ａ，１０ｂの幅１５ｍｍかつ４０％伸長時における伸長応力とは、図１のそれらと同一である。
【００４５】
物品１Ｂでは、前胴周り域２の両側部７ａにおける第１伸縮域８にループ部材１２（第１被止着部）が取り付けられていてもよく、後胴周り域４の両側部７ｂにおける第２伸縮域９にフック部材１１（第１止着部）が取り付けられていてもよい。また、第１伸縮域８から前端部５の側に偏倚した第３伸縮域１０ａにフック部材２０（第２被止着部）が取り付けられていてもよく、第２伸縮域９から後端部６の側に偏倚した第３伸縮域１０ａにループ部材１９（第２止着部）が取り付けられていてもよい。
【００４６】
物品１Ｂでは、前胴周り域２の両側部７ａにおける第１伸縮域８と第１伸縮域８から前端部５の側に偏倚した第３伸縮域１０ａとにフック部材とループ部材とのいずれか一方が取り付けられていてもよく、後胴周り域４の両側部７ｂにおける第２伸縮域９と第２伸縮域９から後端部６の側に偏倚した第３伸縮域１０ａとにフック部材とループ部材とのいずれか他方が取り付けられていてもよい。
【００４７】
物品１Ｂでは、後胴周り域４の両側部７ｂにおける第２伸縮域９と第２伸縮域９から後端部６の側に偏倚した第３伸縮域１０ａとに粘着剤（第１止着部、第２止着部）が塗布されていてもよく、前胴周り域２の両側部７ａにおける第１伸縮域８と第１伸縮域８から前端部５の側に偏倚した第３伸縮域１０ａとに粘着剤を着脱可能なフィルム（第１被止着部、第２被止着部）が取り付けられていてもよい。
【００４８】
伸縮性の繊維不織布ｍ１，ｍ２，ｍ３には、メルトブローンやスパンボンドの各製法により製造されたものを使用することができる。それら不織布ｍ１，ｍ２，ｍ３の構成繊維には、熱可塑性エラストマー樹脂を溶融、紡糸した伸縮性繊維を使用することができる。
【００４９】
不織布ｍ１，ｍ２，ｍ３には、熱可塑性エラストマー樹脂繊維からなる伸縮性かつ疎水性繊維不織布の少なくとも片面に、ポリプロピレン、ポリエチレン、ポリエステル、のいずれかの熱可塑性合成樹脂を溶融、紡糸した捲縮繊維からなる疎水性繊維不織布を重ね合わせた複合不織布を使用することもできる。物品１Ａ，１Ｂでは、不織布ｍ１，ｍ２，ｍ３に代えて、伸縮性かつ不透液性プラスチックフィルムを使用することもできる。
【００５０】
表面シート１３には、親水性繊維不織布、多数の開孔を有する疎水性繊維不織布、微細な多数の開孔を有する透液性プラスチックフィルムのいずれかを使用することができる。裏面シート１４には、疎水性繊維不織布や通気不透液性プラスチックフィルム、２枚の疎水性繊維不織布をラミネートした複合不織布、疎水性繊維不織布と通気不透液性プラスチックフィルムとをラミネートした複合シートのいずれかを使用することができる。
【００５１】
表裏面シート１３，１４を形成する不織布には、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００５２】
コア１５は、フラッフパルプと高吸収性ポリマー粒子との混合物、または、フラッフパルプと高吸収性ポリマー粒子と熱可塑性合成樹脂繊維との混合物であり、所与厚みに圧縮されている。コア１５は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００５３】
不織布ｍ１，ｍ２，ｍ３どうしの固着、表裏面シート１３，１４どうしの固着、表裏面シート１３，１４に対するコア１５の固着には、ホットメルト型接着剤、または、ヒートシールやソニックシール等の熱による溶着手段を利用することができる。
【００５４】
それら図示の物品１Ａ，１Ｂは、その内面に吸収性パッドＰを取り付けて使用するおむつカバーに好適である。
【００５５】
【発明の効果】
本発明にかかる開放型の使い捨て着用物品によれば、第１および第２伸縮域が縦方向上下に伸縮可能であり、それら伸縮域の縦方向の収縮力が物品の股下域を縦方向上方へ引く上げるように作用するので、物品の股下域を着用者の股間部に密着させることができる。この物品は、その両側部が第１および第２伸縮域よりも低い伸長応力の第３伸縮域から形成されているので、物品を着用したときに、第１および第２伸縮域によって着用者の脚部の動きが拘束されることはない。
【００５６】
第１および第２伸縮域が股下域の幅方向中央部でつながっている物品は、第１被止着部に第１止着部を止着したときに、第１および第２伸縮域が着用者の鼠径部から腰部へ向かって環状を形成するので、第１および第２伸縮域の収縮力を利用して着用者の鼠径部と腰部とを締め付けることができる。
【００５７】
第１止着部が第１ループ部材であって第１被止着部が第１フック部材である物品は、それを着用するときに、ループ部材をフック部材に係合させなければならず、それら部材が係合することで、必然的に第１伸縮域と第２伸縮域とが連結される。この物品は、その着用時に、後胴周り域の両側部に取り付けられたループ部材をフック部材以外に係合させることはできず、前後胴周り域の両側部どうしの連結位置を間違えてしまうことはない。
【００５８】
第１止着部と第１被止着部との他に、第３伸縮域に第２止着部と第２被止着部とが形成された物品は、第２止着部を第２被止着部に係合させることで、前後端部に位置する第３伸縮域を実質的に連結することができ、第３伸縮域によって着用者の胴部をその周り方向から締め付けることができる。
【００５９】
第１止着部が第１ループ部材であって第１被止着部が第１フック部材であり、かつ、第２止着部が第２フック部材であって第２被止着部が第２ループ部材である物品は、第１ループ部材を第１フック部材に係合させると、第２フック部材が第２ループ部材の外側に重なるので、第２フック部材を確実に第２ループ部材に係合させることができる。
【図面の簡単な説明】
【図１】一例として示す使い捨て着用物品の部分破断平面図。
【図２】図１のＡ−Ａ線矢視断面図。
【図３】図１のＢ−Ｂ線矢視断面図。
【図４】図１のＣ−Ｃ線矢視断面図。
【図５】着用状態で示す図１の物品の斜視図。
【図６】着用状態で示す図１の物品の斜視図。
【図７】他の一例として示す使い捨て着用物品の部分破断平面図。
【図８】図７のＤ−Ｄ線矢視断面図。
【図９】図７のＥ−Ｅ線断面図。
【図１０】図７のＦ−Ｆ線断面図。
【図１１】着用状態で示す図７の物品の斜視図。
【符号の説明】
１Ａ　　　　　　開放型の使い捨て着用物品
１Ｂ　　　　　　開放型の使い捨て着用物品
２　　　　　　　前胴周り域
３　　　　　　　股下域
３ａ　　　　　　幅方向中央部
４　　　　　　　後胴周り域
５　　　　　　　前端部
６　　　　　　　後端部
７　　　　　　　両側部
７ａ　　　　　　両側部
７ｂ　　　　　　両側部
８　　　　　　　第１伸縮域
９　　　　　　　第２伸縮域
１０ａ，１０ｂ　　第３伸縮域
１１　　　　　　　第１フック部材（第１被止着部）
１２　　　　　　　第１ループ部材（第１止着部）
１９　　　　　　　第２ループ部材（第２被止着部）
２０　　　　　　　第２フック部材（第２止着部）
ｍ１　　　　　　　伸縮性の繊維不織布
ｍ２　　　　　　　伸縮性の繊維不織布
ｍ３　　　　　　　伸縮性の繊維不織布
Ｐ　　　　　　　吸収性パッド
【図１】
2004024434.tif 000003
【図２】
2004024434.tif 000004
【図３】
2004024434.tif 000005
【図４】
2004024434.tif 000006
【図５】
2004024434.tif 000007
【図６】
2004024434.tif 000008
【図７】
2004024434.tif 000009
【図８】
2004024434.tif 000010
【図９】
2004024434.tif 000011
【図１０】
2004024434.tif 000012
【図１１】
2004024434.tif 000013